(57)【要約】      （修正有）【課題】複数の位置から単一の装置への無線データ送信のためのパワー設定及びプリコーディングを提供する。【解決手段】モバイル装置１２２は、複数の場所にあるアンテナ１４０からの無線伝送についてチャネル係数行列を決定し、該チャネル係数行列に基づきパワー・スケーリング・ベクトルを生成し、１又は複数のプリコーディング行列を該パワー・スケーリング・ベクトルの少なくとも一部に基づき選択する。アンテナは、１又は複数の基地局１３０に接続可能である。モバイル装置は、選択されたプリコーディング行列及びパワー・スケーリング・ベクトルを基地局へ送信し、該基地局に更なるデータを該選択されたプリコーディング行列及び該パワー・スケーリング・ベクトルに基づき送信させる。【選択図】図２
2012151844.tif 000002
【特許請求の範囲】
【請求項１】
モバイル装置により、
複数の場所のそれぞれで１又は複数のアンテナから受信された無線伝送について個々のチャネル係数行列を決定する段階であって、該複数の場所にある該アンテナは１又は複数の基地局に動作可能に接続されている、段階、
前記チャネル係数行列に基づきパワー・スケーリング・ベクトルを生成する段階、
前記パワー・スケーリング・ベクトルの少なくとも一部に基づき、１又は複数のプリコーディング行列を選択する段階、
前記選択されたプリコーディング行列及び前記パワー・スケーリング・ベクトルを前記１又は複数の基地局へ送信する段階であって、該１又は複数の基地局に前記選択されたプリコーディング行列及び前記パワー・スケーリング・ベクトルに基づき更なるデータを送信させる、段階、
を有する方法。
【請求項２】
前記チャネル係数行列に基づきパワー・スケーリング・ベクトルを生成する段階は、前記パワー・スケーリング・ベクトルを量子化する段階を更に有する、
ことを特徴とする請求項１に記載の方法。
【請求項３】
前記パワー・スケーリング・ベクトルを生成する段階は、前記チャネル係数行列のそれぞれのＦｒｏｂｅｎｉｕｓノルムの決定に更に基づく、
ことを特徴とする請求項１に記載の方法。
【請求項４】
前記選択されたプリコーディング行列及び前記パワー・スケーリング・ベクトルを前記１又は複数の基地局へ送信する段階は、
前記選択されたプリコーディング行列及び前記パワー・スケーリング・ベクトルを前記１又は複数の基地局のうちの少なくとも１つへ送信する段階であって、該少なくとも１つの基地局に前記選択されたプリコーディング行列及び前記パワー・スケーリング・ベクトルを前記１又は複数の基地局のうちの残りの基地局へ送信させる、段階、
を有する、
ことを特徴とする請求項１に記載の方法。
【請求項５】
前記１又は複数の基地局に前記選択されたプリコーディング行列及び前記パワー・スケーリング・ベクトルに基づき更なるデータを送信させることは、
前記１又は複数の基地局に前記更なるデータを前記個々の選択されたプリコーディング行列で送信前に変更させる段階、
前記複数の場所にある前記アンテナに、個々の前記パワー・スケーリング・ベクトルの値に基づき送信パワーを調整させる段階、
を有する、
ことを特徴とする請求項１に記載の方法。
【請求項６】
ソフトウェアを具現化する１又は複数のコンピュータ可読非一時的記憶媒体であって、該ソフトウェアは、実行されると、
複数の場所のそれぞれにある１又は複数のアンテナから受信された無線伝送について個々のチャネル係数行列を決定し、該複数の場所にある該アンテナは１又は複数の基地局に動作可能に接続されており、
前記チャネル係数行列に基づき、パワー・スケーリング・ベクトルを生成し、
前記パワー・スケーリング・ベクトルの少なくとも一部に基づき、１又は複数のプリコーディング行列を選択し、
前記選択されたプリコーディング行列及び前記パワー・スケーリング・ベクトルを前記１又は複数の基地局へ送信し、該１又は複数の基地局に前記選択されたプリコーディング行列及び前記パワー・スケーリング・ベクトルに基づき更なるデータを送信させる、
ことを特徴とする媒体。
【請求項７】
１又は複数のメイン・プロセッサ、
１又は複数の通信インタフェース、
命令を具現化する１又は複数のコンピュータ可読非一時的記憶媒体、
を有し、
前記命令は、実行されると、１又は複数の前記プロセッサに、
複数の場所のそれぞれにある１又は複数のアンテナから受信された無線伝送について個々のチャネル係数行列を決定し、該複数の場所にある該アンテナは１又は複数の基地局に動作可能に接続されており、
前記チャネル係数行列に基づき、パワー・スケーリング・ベクトルを生成し、
前記パワー・スケーリング・ベクトルの少なくとも一部に基づき、１又は複数のプリコーディング行列を選択し、
前記選択されたプリコーディング行列及び前記パワー・スケーリング・ベクトルを前記１又は複数の基地局へ送信し、該１又は複数の基地局に前記選択されたプリコーディング行列及び前記パワー・スケーリング・ベクトルに基づき更なるデータを送信させる、
ことを特徴とする装置。
【発明の詳細な説明】
【技術分野】
【０００１】
本開示は、概して高速通信に関する。
【背景技術】
【０００２】
多入力多出力（Multiple-input  and  multiple-output：MIMO）又は無線で送信機及び受信機の両方で複数のアンテナを使用することは、無線通信性能をデータ・スループット及びリンク・レンジの点で向上しうる。ＭＩＭＯは、最新の無線通信規格、例えばＩＥＥＥ（Institute  of  Electrical  and  Electronics  Engineers）８０２．１１ｎ（Wi-Fi）、３ＧＰＰ（３rd  generation  partnership  project）ＬＴＥ（Long  Term  Evolution）、ＨＳＰＡ＋（Evolved  High-Speed  Packet  Access）、ＩＥＥＥ８０２．１６（Worldwide  Interoperability  for  Microwave  Access：WiMAX）等の重要な一部である。
【発明の概要】
【発明が解決しようとする課題】
【０００３】
本発明は、複数の位置から単一の装置への無線データ送信のためのパワー設定及びプリコーディングを提供する。
【図面の簡単な説明】
【０００４】
【図１】モバイル装置の例であるネットワーク環境を示す。
【図２】モバイル装置とセルラ・ネットワークとの間の多地点対単一点の無線接続の例を示す。
【図３】合同パワー設定及びプリコーディングの例である方法を示す。
【図４】コンピュータ・システムの例を示す。
【発明を実施するための形態】
【０００５】
図１は、モバイル装置の例であるネットワーク環境を示す。ネットワーク・クラウド１２１は、一般的にネットワーク又はネットワークの集合（例えば、インターネット、企業イントラネット、仮想私設ネットワーク、ローカル・エリア・ネットワーク、無線ローカル・エリア・ネットワーク、セルラ・ネットワーク、広域ネットワーク、都市域ネットワーク、又はこれらのネットワークの２以上の組合せ等）を表し、ネットワーク・クラウド１２１を介してモバイル装置１２２がネットワーク・クラウド１２１に接続された他の装置と通信してもよい。
【０００６】
モバイル装置１２２は、一般的にポータブル・コンピュータ又はコンピュータ装置であり、ネットワークを介して通信する（例えば遠隔で）機能を有する。例えば、モバイル装置１２２は、携帯電話機、タブレット・コンピュータ、ラップトップ・コンピュータ、ハンドヘルド・ゲーム端末、電子書籍リーダ、又は如何なる他の適切なポータブル機器であってもよい。モバイル装置１２２は、１又は複数のクライアント・アプリケーション、例えばウェブ・ブラウザ（例えば、Microsoft  Windows(登録商標)  Internet  Explorer、Mozilla  Firefox、Apple  Safari、Google  Chrome、Opera等）又は特定用途のクライアント・アプリケーション（例えば、Microsoft  Outlook、Facebook  for  iPhone等）を実行し、ネットワーク・クラウド１２１に接続された他の装置から送信されたコンテンツ及びメッセージにアクセス及びそれらを閲覧してもよい。
【０００７】
モバイル装置１２２は、ネットワーク・クラウド１２１に、セルラ・ネットワーク（例えば、Global  System  for  Mobile  Communications：GSMネットワーク、Code  Division  Multiple  Access：CDMAネットワーク、LTEネットワーク、又はこれらのネットワークの２以上の組合せ）の１又は複数の基地局１３０を介して接続されてもよい。基地局１３０は、３Ｇ（３rd  generation）セルラ・ネットワーク（例えば、Universal  Mobile  Telecommunications  System：UMTSネットワーク）ではＮｏｄｅＢと、又はＬＴＥ（Long  Term  Evolution）ネットワークではｅＮＢ（evolved  NB）と表されうる。モバイル装置１２２は、セルラ・ネットワークではユーザ機器（ＵＥ）と表される。基地局は１又は複数のＲＲＨ（remote  radio  head）１３２に接続され、各ＲＲＨは１又は複数のアンテナ１４０を有する。例えば、基地局に接続されたＲＲＨは、基地局から離れていて、基地局の無線カバレッジを拡張しうる。例えば、ＲＲＨは基地局に１又は複数の光ファイバ・ケーブルを介して接続されうる。基地局は、Ｘ２インタフェースに基づく別の基地局と通信してもよい。これは、高スループット且つ短い待ち時間の接続で実施されうる（例えば、ギガビット・イーサネット(登録商標)・ローカル・エリア・ネットワーク）。モバイル装置１２２は、無線で基地局と、モバイル装置１２２の１又は複数のアンテナ１２４と該基地局に接続された１又は複数のＲＲＨの１又は複数のアンテナ１４０との間の無線伝送を介して、通信してもよい。以下では、ＤＬ（ダウンリンク）を基地局１３０（又はＲＲＨ１３２）からモバイル装置１２２への無線データ伝送の方向とする。以下では、ＵＬ（アップリンク）をモバイル装置１２２から基地局１３０（又はＲＲＨ１３２）への無線データ伝送の方向とする。
【０００８】
モバイル装置１２２とセルラ・ネットワークとの間の無線接続は、シングルポイント・ツー・シングルポイントでありうる。つまり、ＵＬ及びＤＬ伝送は（図１の矢印１６０により示されるように）、モバイル装置１２２の１又は複数のアンテナ１２４と、同じ場所（例えば、図１に示されたＲＲＨの場所）にある１又は複数のアンテナ１４０との間である。代替として、モバイル装置１２２とセルラ・ネットワークとの間の無線接続は、マルチポイント・ツー・シングルポイントであり、協調マルチポイント（coordinated  multi-point）処理の使用に基づきうる。ＣｏＭＰは、一種のＭＩＭＯ無線伝送であり、複数の送信アンテナが複数の地理的に離れた場所に設置される。図２は、図１に示されたようなモバイル装置とセルラ・ネットワークとの間のマルチポイント・ツー・シングルポイントの無線接続の例を示す。図２の例では、ＵＬ及びＤＬ伝送は（矢印１６５により示されるように）複数の場所にあるアンテナ１４０とモバイル装置１２２の１又は複数のアンテナ１２４との間である。ここで、複数の場所からモバイル装置１２２へのＤＬ伝送は、関連する基地局及びＲＲＨ間で前述のＸ２インタフェース及び光ファイバ・ケーブルを介して調整されうる。同様に、モバイル装置１２２から複数の場所へのＵＬ伝送は、関連する基地局及びＲＲＨ間で前述のＸ２インタフェース及び光ファイバ・ケーブルを介して調整されうる。
【０００９】
ＤＬ  ＣｏＭＰでは、ＵＥ向けのデータは複数の地理的に離れた地点で利用可能である。データは、ＵＥへ同時に、複数の送信地点間で調整されて伝送されうる。複数の送信地点間の調整は、本願明細書に記載されるように、プリコーディング技術を用いることにより、ビーム形成（例えば、信号を特定方向に向ける）を可能にしうる。特定の実施形態では、モバイル装置（例えば、携帯電話機）は、セルラ・ネットワーク（例えば、ＬＴＥネットワーク）に１又は複数の基地局を介して接続されてもよい。特定の実施形態は、如何なる適切なセルラ・ネットワークをも包含する。特定の実施形態では、１又は複数の基地局からモバイル装置へのＤＬ無線伝送は、複数の場所にあるＴＸ（送信）アンテナとモバイル装置の１又は複数のＲＸ（受信）アンテナとの間であってもよい。特定の実施形態では、複数の場所のそれぞれにある１又は複数のＴＸアンテナは、１又は複数の基地局のうちの１つに動作可能に接続されてもよい。例えば、ＤＬ無線伝送は、複数の地理的に離れたＲＲＨの内のそれぞれの個々のＴＸアンテナとモバイル装置のＲＸアンテナとの間であってもよい。
【００１０】
１又は複数のＲＸアンテナにおける受信無線信号の強度（例えば、振幅）は、ＴＸアンテナとＲＸアンテナとの間の通信チャネル（又はＤＬ無線伝送のための媒体）に依存してもよい。より詳細には、１又は複数のＲＸアンテナにおける受信無線信号は、Ｌ個の場所にあるＭＬ個のＴＸアンテナ（つまり、各場所にＭ個のＴＸアンテナがある）とＮ個のＲＸアンテナとの間の第１の伝送により次のように表されてもよい。
【数１】
2012151844.tif 000003
【００１１】
例えば、図２には、２個のＴＸアンテナが３個のＴＸの場所（３個の地理的に離れたＲＲＨ）のそれぞれにあり、及び２個のＲＸアンテナが（モバイル装置１２２に）ある。上述の第１の伝送モデルでは、ＲＮは１又は複数のＲＸアンテナにおける受信無線信号の振幅である。ＶＮは１又は複数のＲＸアンテナにおける雑音ベクトルである。ＳＴは、長さＴの基準シンボル又はデータ（ＴＸアンテナから１又は複数のＲＸアンテナへ伝送される）である。ＨＮ×ＭＬは、大きさＮ×ＭＬの連結チャネル係数行列である。ＦＭＬ×Ｔはプリコーディング行列である。プリコーディング行列は、ビーム形成の目的で、送信前にデータ（例えば、基準シンボルＳＴ）を変更するために用いられうる。より詳細には、次の通りである。
【数２】
2012151844.tif 000004
【００１２】
上述の第１の伝送モデルでは、Ｈｉ又はＨｉＮ×Ｍは、ｉ番目の場所からＵＥまでのＤＬパス（ｉ番目のＲＲＨのＭ個のＴＸアンテナとＵＥのＮ個のＲＸアンテナとの間）のチャネル係数行列である。各チャネル係数ｈｋｊは、ｊ番目のＴＸアンテナとｋ番目のＲＸアンテナとの間の通信媒体を表す。チャネル係数行列は、通信チャネルのチャネル状態情報を表す。特定の実施形態は、通信チャネルのチャネル状態情報の如何なる適切な表現も包含する。ＨＮ×ＭＬは、全てのＤＬパスのチャネル係数行列の連結である。Ｆｉは、ｉ番目の場所にあるＴＸアンテナのプリコーディング行列である。
【００１３】
通常、簡単のため、通信チャネルは、ＴＸアンテナとＲＸアンテナとの間で伝送される無線信号の伝搬環境の１種類の統計モデルに基づきモデル化される。例えば、チャネルは、レーリー減衰モデルに基づきモデル化されうる。レーリー減衰モデルは、建築物の密集した都市域（例えば、マンハッタン、ニューヨーク）を厳密にモデル化できる。更に、ＲＲＨにある任意のＴＸアンテナとＵＥにある任意のＲＸアンテナとの間のチャネルの大規模減衰（パスロス及びシャドウイングを含む）は、同一であると仮定できる。つまり、ＴＸ及びＲＸアンテナの異なる対の間のチャネル係数は、同一のパスロス及びシャドウ減衰効果を有しうる。セルラ・ネットワークのオペレータは、所定のプリコーディング行列のセット、コードブックとも称される、を上述の簡略化されたチャネル・モデルに基づき選択でき、該コードブックを１又は複数の基地局のそれぞれの１又は複数の記憶装置に及びセルラ・ネットワークのＵＥにある任意の１又は複数のローカル記憶装置に格納できる。特定の実施形態では、１又は複数の基地局は、複数の場所にあるＴＸアンテナに、基準信号（例えばＳＴ）をＦＭＬ×Ｔにより変更してモバイル装置へ送信させ、モバイル装置に受信信号ＲＮ（つまり、受信された基準信号）の振幅を決定させる。特定の実施形態では、モバイル装置は、１又は複数のＲＸアンテナにおける雑音レベル（例えばＶＮ）を決定してもよい。特定の実施形態では、モバイル装置は、連結チャネル係数行列ＨＮ×ＭＬを受信信号ＲＮ及び雑音レベルＶＮに基づき決定してもよい。特定の実施形態では、モバイル装置は、第１の伝送モデルに基づき、特定のプリコーディング行列をコードブックから選択し、ＴＸアンテナと１又は複数のＲＸアンテナとの間の空間チャネル容量を最適化してもよい。特定の実施形態では、モバイル装置は、選択（例えば、選択されたプリコーディング行列又はＰＭＩへのインデックス）を１又は複数の基地局へ送信してもよい。例えば、モバイル装置は、選択を１又は複数の基地局うちの少なくとも１つへ送信し、該少なくとも１つの基地局に該選択を該１又は複数の基地局のうちの残りの基地局へ送信させてもよい。選択されたプリコーディング行列へのインデックスを送信することにより（選択されたプリコーディング行列自体ではなく）、モバイル装置はＵＬ伝送のデータ負荷を低減してもよい。例えば、１６個の所定のプリコーディング行列がコードブック内にある場合、モバイル装置は、多くのバイト数のデータを必要としうる選択されたプリコーディング行列自体ではなく、４ビットのデータのみを１又は複数の基地局へ送信すればよい。特定の実施形態では、１又は複数の基地局は、更なるデータをモバイル装置へ、選択されたプリコーディング行列に基づき（例えば、更なるデータを選択されたプリコーディング行列で送信前に変更して）送信してもよい。
【００１４】
しかしながら、上述の（レーリー・モデルに基づく）簡略化されたチャネル・モデルは、想定と異なる伝搬環境で空間チャネル容量を最適化するには困難がある。上述の簡略化されたチャネル・モデルはまた、異なるＤＬ伝送パス（例えば、図２に示されたような）が異なるパスロス及びシャドウ減衰効果を有する場合に、空間チャネル容量を最適化するにも困難がありうる。このような場合は、ＴＸアンテナが異なる場所にある場合に起こり得る。一方で、セルラ・ネットワークの全てのＵＥに対して１つのコードブックを有することが望ましい（ＵＥにある任意の複雑性を低減するために）。本願明細書の特定の実施形態は、異なるＤＬ伝送パス間の（つまり、ＴＸ及びＲＸアンテナの異なる対の間の）異種のパスロス及びシャドウ減衰効果を補償することにより、空間チャネル容量を最適化する方法を記載する。特定の実施形態は、異なる場所にあるＴＸアンテナのＤＬ伝送パワーを調整することにより、空間チャネル容量を最適化できる。
【００１５】
特定の実施形態は、Ｌ個の場所にあるＭＬ個のＴＸアンテナ（つまり、各場所にＭ個のＴＸアンテナがある）とＮ個のＲＸアンテナとの間の次のような第２の伝送モデルに基づきうる。
【数３】
2012151844.tif 000005
【００１６】
上述の第２の伝送モデルでは、ＲＮは１又は複数のＲＸアンテナにおける受信無線信号である。ＶＮは１又は複数のＲＸアンテナにおける雑音ベクトルである。ＳＴは、長さＴの基準シンボル又はデータ（ＴＸアンテナからＲＸアンテナへ伝送される）である。ＦＭＬ×Ｔは、第１の伝送モデルのコードブックに基づくプリコーディング行列である。つまり、第２の伝送モデルは、第１の伝送モデルのコードブックを再利用できる。第２の伝送モデルは、更に次のパワー・スケーリング・ベクトルＡを定める。
【数４】
2012151844.tif 000006
ここで、Ｅ（）は期待値であり、‖  ‖Ｆは行列のＦｒｏｂｅｎｉｕｓノルムである。
【００１７】
０番目の場所がＬ個の場所のＴＸアンテナの中で最も強い対応する受信信号を有すると仮定すると、Ｌ個の場所のうちのｉ番目の場所のそれぞれで、ａｉはｉ番目の場所と０番目の場所（最強の対応する受信信号を有する場所）との間の信号強度の比である。例えば、Ｈｉは、ｉ番目の場所からモバイル装置へのＤＬパスの第１の伝送モデルにより決定されうる。例えば、ａｉは、チャネル係数行列ＨｉのＦｒｏｂｅｎｉｕｓノルムの期待値により計算されるような振幅の信号強度比でありうる。特定の実施形態は、如何なる適切な受信信号強度の測定値をも包含する。
【００１８】
第２の伝送モデルは、連結チャネル係数行列ＨＮ×ＭＬ（第１の伝送モデルにより決定されたような）をパワー・スケーリング・ベクトルＡにより調整しうる。
【数５】
2012151844.tif 000007
【００１９】
つまり、第２の伝送モデルは、パワー・スケーリング・ベクトルａｉを用いて、ＤＬパス間のパスロス及びシャドウ減衰効果の相違を補償できる。Ｌ個のＤＬパスの間のパスロス及びシャドウ減衰効果は、パワー・スケーリング・ベクトルＡで等しくされうる。
【００２０】
上述の第１及び第２の伝送モデルに基づき、特定の実施形態では、１又は複数の基地局は、ＴＸアンテナに、基準信号（例えばＳＴ）をプリコーディング行列ＦＭＬ×Ｔにより変更して、モバイル装置へ送信させ、モバイル装置に受信信号ＲＮ（つまり、受信された基準信号）の振幅を決定させる。特定の実施形態では、モバイル装置は、１又は複数のＲＸアンテナにおける雑音レベルＶＮを決定してもよい。特定の実施形態では、モバイル装置は、連結チャネル係数行列ＨＮ×ＭＬを受信信号ＲＮ及びプリコーディング行列ＦＭＬ×Ｔに基づき（第１の伝送モデルを用いることにより）決定してもよい。特定の実施形態では、モバイル装置は、パワー・スケーリング・ベクトルＡを、複数の場所からモバイル装置へのＤＬパスの第１のチャネル係数行列に基づき計算してもよい。特定の実施形態では、モバイル装置は、第２の連結チャネル係数行列Ｈ’Ｎ×ＭＬを、第１の連結チャネル係数行列ＨＮ×ＭＬをパワー・スケーリング・ベクトルＡで変更することにより、計算してもよい。つまり、第２の連結チャネル係数行列は、等しいパスロス及びシャドウ減衰効果を有し、パワー・スケーリング・ベクトルＡにより調整された、Ｌ個のＤＬパスを表す。
【００２１】
特定の実施形態では、モバイル装置は、ｊ番目の場所のためのプリコーディング行列の選択（又はＰＭＩインデックスｋ）を次式に基づき決定してもよい。
【数７】
2012151844.tif 000008
ここで、σｍｉｎ（Ｙ）は行列Ｙの特異値であり、最小測定基準（絶対値）を有する。
【数８】
2012151844.tif 000009
はコードブックである。Ｆｊは、ｊ番目の場所で以前に用いられたプリコーディング行列である。
【００２２】
複数の場所のうちの各場所におけるアンテナのＴＸ伝送パワーが所定のステップで調整される（例えば、１ｄＢのステップで）場合、モバイル装置はＰＭＩインデックスｋを、Ａを量子化したものＱ（Ａ）に基づき決定してもよい。Ｑ（．）はＴＸパワー調整ステップに関して行われうる。例えば、モバイル装置は量子化されたＱ（Ａ）を多数の調整ステップで（公称値から）決定してもよい。例えば、量子化されたＱ（Ａ）は、各場所について１バイトのデータで表現されうる。一方でパワー・スケーリング・ベクトルＡの本当の値は各場所について多数のデータ・バイトを必要としうる。特定の実施形態では、次に示す量子化されたパワー・スケーリング・ベクトルが用いられ、
【数９】
2012151844.tif 000010
次のように連結チャネル係数行列を調整しうる。
【数１０】
2012151844.tif 000011
一方で、ＰＭＩインデックスｋは量子化された調整済みの連結チャネル係数行列に基づき次のように決定されうる。
【数１１】
2012151844.tif 000012
【００２３】
特定の実施形態では、モバイル装置は、選択（例えば、ＰＭＩインデックス）及びパワー・スケーリング・ベクトルを１又は複数の基地局へ送信してもよい。例えば、モバイル装置は、選択及びパワー・スケーリング・ベクトルを１又は複数の基地局のうちの少なくとも１つへ送信し、該少なくとも１つの基地局に該選択及びパワー・スケーリング・ベクトルを該１又は複数の基地局のうちの残りの基地局へ送信させてもよい。例えば、少なくとも１つの基地局は、モバイル装置との最強の接続を有する基地局、例えば上述の０番目の場所に接続された基地局でありうる。特定の実施形態では、モバイル装置は、量子化されたパワー・スケーリング・ベクトルを１又は複数の基地局へ送信してもよい。ここで、量子化されたパワー・スケーリング・ベクトルは前述のように少ないデータ負荷しか必要としなくてもよい。特定の実施形態では、１又は複数の基地局は、更なるデータをモバイル装置へ、選択されたプリコーディング行列及びパワー・スケーリング・ベクトルに基づき送信してもよい。例えば、１又は複数の基地局は、データを選択されたプリコーディング行列で送信前に変更してもよく、複数の場所のうちのそれぞれにある１又は複数のアンテナに、送信パワーを個々のパワー・スケーリング・ベクトルに基づき調整させてもよい。
【００２４】
図３は、合同パワー設定及びプリコーディングの例である方法を示す。特定の実施形態では、モバイル装置は、無線伝送を複数の場所のそれぞれにある１又は複数のアンテナから受信してもよい。該アンテナは、１又は複数の基地局に動作可能に接続されている。特定の実施形態では、モバイル装置は、個々のチャネル係数行列を、複数の場所のそれぞれにあるアンテナからの無線伝送について決定してもよい（３０１）。つまり、各チャネル係数行列は、複数の場所のうちの１つにあるアンテナからモバイル装置へのＤＬパスに対応する。特定の実施形態では、モバイル装置はパワー・スケーリング・ベクトルをチャネル係数行列に基づき生成してもよい（３０２）。例えば、モバイル装置は、パワー・スケーリング・ベクトルを、複数の場所からのＤＬパス同士の受信信号強度の相対比に基づき生成してもよい。特定の実施形態では、モバイル装置は１又は複数のプリコーディング行列を、パワー・スケーリング・ベクトルの少なくとも一部に基づき選択してもよい（３０３）。特定の実施形態では、モバイル装置は、選択されたプリコーディング行列及びパワー・スケーリング・ベクトルを、１又は複数の基地局へ送信してもよく、該１又は複数の基地局に更なるデータを該選択されたプリコーディング行列及び該パワー・スケーリング・ベクトルに基づき送信させてもよい（３０４）。特定の実施形態は、必要に応じて図３の方法の段階を繰り返してもよい。更に、本開示は図３の方法の特定の段階を特定の順序で生じるとして記載し説明したが、本開示は図３の方法の如何なる適切な段階が如何なる適切な順序で生じるものも包含する。更に、本開示は特定の構成要素、装置又はシステムが図３の方法の特定の段階を実行するとして記載し説明したが、本開示は如何なる適切な構成要素、装置又はシステムの如何なる組合せであって図３の方法の如何なる適切な段階を実行するものも包含する。
【００２５】
図４は、本発明の特定の実施形態とともに用いられてもよい例であるコンピュータ・システム８００を図示する。本開示は、如何なる適切な数のコンピュータ・システム８００も包含する。本開示は、如何なる適切な物理形式のコンピュータ・システム８００も包含する。例として且つ限定的でなく、コンピュータ・システム８００は、組み込み型コンピュータ・システム、システム・オン・チップ（ＳＯＣ）、デスクトップ・コンピュータ・システム、モバイル・コンピュータ・システム、ゲーム端末、メインフレーム、メッシュ型コンピュータ・システム、サーバ、又はこれらの２以上の組み合わせであってもよい。適切な場合には、コンピュータ・システム８００は、１又は複数のコンピュータ・システム８００を有し、中央集中型若しくは分散型であってよく、複数の場所に渡ってよく、複数の装置に渡ってよく、１又は複数のネットワーク内の１又は複数の集団コンポーネントを有する集団の中に存在してもよい。適切な場合には、１又は複数のコンピュータ・システム８００は、本願明細書に記載された１又は複数の方法の１又は複数の段階を実質的に空間的又は時間的制限なしに実行してもよい。例として且つ限定的でなく、１又は複数のコンピュータ・システム８００は、本願明細書に記載された１又は複数の方法の１又は複数の段階を実時間で又はバッチ・モードで実行してもよい。１又は複数のコンピュータ・システム８００は、適切な場合には、本願明細書に記載された１又は複数の方法の１又は複数の段階を異なる時間に又は異なる場所で実行してもよい。
【００２６】
特定の実施形態では、コンピュータ・システム８００は、プロセッサ８０２、メモリ８０４、記憶装置８０６、入力／出力（Ｉ／Ｏ）インタフェース８０８、通信インタフェース８１０及びバス８１２を有する。特定の実施形態では、プロセッサ８０２は、命令、例えばコンピュータ・プログラムを構成する命令を実行するハードウェアを有する。例として且つ限定的でなく、命令を実行するために、プロセッサ８０２は、命令を内部レジスタ、内部キャッシュ、メモリ８０４又は記憶装置８０６から読み出し（又はフェッチし）、該命令をデコードして実行し、次に１又は複数の結果を内部レジスタ、内部キャッシュ、メモリ８０４又は記憶装置８０６に書き込んでよい。特定の実施形態では、プロセッサ８０２は、データ、命令又はアドレスのために１又は複数の内部キャッシュを有してもよい。特定の実施形態では、メモリ８０４はプロセッサ８０２のために実行されるべき命令又はプロセッサ８０２のために処理されるべきデータを格納する主メモリを有する。例として且つ限定的でなく、コンピュータ・システム８００は、記憶装置８０６からメモリ８０４へ命令をロードしてもよい。プロセッサ８０２は、次に、命令をメモリ８０４から内部レジスタ又は内部キャッシュへロードしてもよい。命令を実行するために、プロセッサ８０２は、命令を内部レジスタ又は内部キャッシュから読み出し、該命令をデコードする。命令の実行後又は実行中、プロセッサ８０２は、１又は複数の結果を内部レジスタ又は内部キャッシュに書き込んでよい。プロセッサ８０２は、次に、１又は複数の結果をメモリ８０４に書き込んでよい。１又は複数のバス（それぞれアドレス・バス及びデータ・バスを有してもよい）は、プロセッサ８０２をメモリ８０４に結合してよい。バス８１２は、以下に説明するように１又は複数のメモリ・バスを有してよい。特定の実施形態では、１又は複数のメモリ管理部（ＭＭＵ）は、プロセッサ８０２とメモリ８０４との間に存在し、プロセッサ８０２により要求されたメモリ８０４へのアクセスを実現する。特定の実施形態では、メモリ８０４は、ランダム・アクセス・メモリ（ＲＡＭ）であってもよい。このＲＡＭは、適切な場合には揮発性メモリであってよい。適切な場合には、このＲＡＭはダイナミックＲＡＭ（ＤＲＡＭ）又はスタティックＲＡＭ（ＳＲＡＭ）であってもよい。
【００２７】
特定の実施形態では、記憶装置８０６はデータ又は命令のための大容量記憶装置を有する。例として且つ限定的でなく、記憶装置８０６は、ＨＤＤ、プロッピー・ディスク・ドライブ、フラッシュ・メモリ、光ディスク、光磁気ディスク、磁気テープ、又はユニバーサル・シリアル・バス（ＵＳＢ）ドライブ、又はこれらの２以上の組み合わせを有してもよい。記憶装置８０６は、適切な場合には取り外し可能な又は取り外し不可能な（又は固定の）媒体を有してもよい。記憶装置８０６は、適切な場合にはコンピュータ・システム８００に内蔵又は外付けであってよい。特定の実施形態では、記憶装置８０６は不揮発性、固体メモリである。特定の実施形態では、記憶装置８０６は、読み出し専用メモリ（ＲＯＭ）を有する。適切な場合には、このＲＯＭは、マスク・プログラムＲＯＭ、プロブラマブルＲＯＭ（ＰＲＯＭ）、消去可能なＰＲＯＭ（ＥＰＲＯＭ）若しくはフラッシュ・メモリ又はこれらの２以上の組み合わせであってもよい。
【００２８】
特定の実施形態では、Ｉ／Ｏインタフェース８０８は、コンピュータ・システム８００と１又は複数のＩ／Ｏ装置との間の通信のための１又は複数のインタフェースを提供するハードウェア、ソフトウェア又はこれらの両方を有する。コンピュータ・システム８００は、適切な場合には、１又は複数のこれらのＩ／Ｏ装置を有してもよい。１又は複数のこれらのＩ／Ｏ装置は、人とコンピュータ・システム８００との間の通信を可能にしうる。例として且つ限定的でなく、Ｉ／Ｏ装置は、キーボード、マイクロホン、ディスプレイ、タッチ・スクリーン、マウス、スピーカ、カメラ、他の適切なＩ／Ｏ装置又はこれらの２つ以上の組み合わせを有してもよい。Ｉ／Ｏ装置は１又は複数のセンサを有してもよい。本開示は如何なる適切なＩ／Ｏ装置及びそのための如何なる適切なＩ／Ｏインタフェース８０８も包含する。適切な場合には、Ｉ／Ｏインタフェース８０８は１又は複数の装置又はソフトウェア・ドライバを有し、プロセッサ８０２にこれらのＩ／Ｏ装置のうちの１又は複数を駆動させてもよい。Ｉ／Ｏインタフェース８０８は、適切な場合には、１又は複数のＩ／Ｏインタフェース８０８を有してもよい。本願明細書は特定のＩ／Ｏインタフェースを記載し説明したが、本開示は如何なる適切なＩ／Ｏインタフェースも包含する。
【００２９】
特定の実施形態では、通信インタフェース８１０は、コンピュータ・システム８００と１又は複数のコンピュータ・システム８００又は１又は複数のネットワークとの間の通信（例えば、パケットベースの通信のような）のための１又は複数のインタフェースを提供するハードウェア、ソフトウェア又はこれらの両方を有する。例として且つ限定的でなく、通信インタフェース８１０は、イーサネット又は他の有線ネットワークと通信するためのネットワーク・インタフェース制御部（ＮＩＣ）、又は無線ネットワーク、例えばＷＩ−ＦＩネットワークと通信するための無線ＮＩＣ（ＷＮＩＣ）を有してもよい。本開示は如何なる適切なネットワーク及びそのための如何なる適切な通信インタフェース８１０も包含する。例として且つ限定的でなく、コンピュータ・システム８００は、アドホック・ネットワーク、個人域ネットワーク（ＰＡＮ）、ローカル・エリア・ネットワーク（ＬＡＮ）、広域ネットワーク（ＷＡＮ）、都市域ネットワーク（ＭＡＮ）、又はインターネットの１又は複数の部分又はこれらの２つ以上の組み合わせと通信してもよい。１又は複数のこれらのネットワークの１又は複数の部分は、有線又は無線であってもよい。例として、コンピュータ・システム８００は、無線ＰＡＮ（ＷＰＡＮ）（例えばＢｌｕｅｔｏｏｔｈ(登録商標)  ＷＰＡＮ）、ＷＩ−ＦＩネットワーク（例えば、８０２．１１ａ／ｂ／ｇ／ｎ  ＷＩ−ＦＩネットワーク）、Ｗｉ−ＭＡＸネットワーク、セルラ・ネットワーク（例えば、ＧＳＭ(登録商標)（Global  System  for  Mobile  Communications）ネットワーク、ＬＴＥ（Long  Term  Evolution）ネットワーク）若しくは他の適切な無線ネットワーク又はこれらの２つ以上の組み合わせと通信してもよい。
【００３０】
特定の実施形態では、バス８１２は、コンピュータ・システム８００のコンポーネントを相互に結合するハードウェア、ソフトウェア又は両方を有する。例として且つ限定的でなく、バス８１２は、ＡＧＰ（Accelerated  Graphics  Port）又は他のグラフィック・バス、ＥＩＳＡ（Enhanced  Industry  Standard  Architecture）バス、ＦＳＢ（front-side  bus）、HYPERTRANSPORT(HT)相互接続、INFINIBAND相互接続、ＬＰＣ（low-pin-count）バス、メモリ・バス、PCI-Express（Peripheral  Component  Interconnect  Express）バス、ＳＡＴＡ（serial  advanced  technology  attachment）バス、Ｉ２Ｃ（Inter-IntegratedCircuit）バス、ＳＤ（Secure  Digital）メモリ・インタフェース、ＳＤＩＯ（Secure  Digital  Input  Output）、ＵＳＢ（Universal  Serial  Bus）、ＧＰＩＯ（General  Purpose  Input/Output）バス若しくは他の適切なバス又はこれらの２つ以上の組み合わせを有してもよい。バス８１２は、適切な場合には１又は複数のバス８１２を有してもよい。
【００３１】
本願明細書では、コンピュータ可読非一時的記憶への参照は、適切な場合には、半導体に基づく又は他の集積回路（ＩＣ）（例えば、フィールド・プログラマブル・ゲート・アレイ（ＦＰＧＡ）又は特定用途向け集積回路（ＡＳＩＣ））、ハードディスク・ドライブ（ＨＤＤ）、ハイブリッド・ハードドライブ（ＨＨＤ）、光ディスク、光ディスク・ドライブ（ＯＤＤ）、光磁気ディスク、光磁気ドライブ、フロッピー(登録商標)・ディスク、フロッピー・ディスク・ドライブ（ＦＤＤ）、磁気テープ、ホログラフィック記憶媒体、固体ドライブ（ＳＳＤ）、ＲＡＭドライブ、ＳＥＣＵＲＥ  ＤＩＧＩＴＡＬカード、ＳＥＣＵＲＥ  ＤＩＧＩＴＡＬドライブ若しくは他の適切なコンピュータ可読非一時的記憶媒体、又はこれらの２つ以上の組み合わせを有してもよい。コンピュータ可読非一時的記憶媒体は、適切な場合には、揮発性、不揮発性又は揮発性と不揮発性との組合せであってもよい。
【００３２】
本願明細書で、「又は」は、他に明示的に示されない限り又は文脈上特に示されない限り、包括的であり、排他的ではない。従って、本願明細書では、特に明示的に示されない限り又は文脈上別に示されない限り、「Ａ又はＢ」は「Ａ、Ｂ、又は両方」を意味する。更に、「及び」は、他に明示的に示されない限り又は文脈上特に示されない限り、結合及び幾つかの両方である。従って、本願明細書では、特に明示的に示されない限り又は文脈上別に示されない限り、「Ａ及びＢ」は「Ａ及びＢ、一緒に又は別々に」を意味する。
【００３３】
本開示は、当業者が考え得る、本願明細書に記載された例である実施形態の全ての変更、代替、変形、選択肢、及び修正を包含する。更に、特定の機能を実行するよう、適応され、配置され、可能にされ、構成され、実行可能なように、動作可能なように、又は機能するようにされた装置又はシステム又は採用されている装置若しくはシステムの構成要素への添付の特許請求の範囲中の参照は、それ又は該特定の機能が作動され、オンに切り替えられ、又は解除されているか否かに拘わらず、該装置、システム又は構成要素がそのように適応され、配置され、可能にされ、構成され、使用可能にされ、動作可能にされ又は機能するようにされている限り、該装置、システム、構成要素を包含する。
【００３４】
［関連出願］
本出願は、３５Ｕ．Ｓ．Ｃ§１１９（ｅ）に基づき２０１１年１月１４日出願の米国仮出願番号６１／４３３，０２４号、名称「Joint  TX  Power  Setting  and  Precoding  for  LTE-A  CoMP」に基づく優先権を主張するものであり、該米国仮出願の全内容を本出願に援用する。
【００３５】
以上の実施形態に関し、更に以下の付記を開示する。
（付記１）  モバイル装置により、
複数の場所のそれぞれで１又は複数のアンテナから受信された無線伝送について個々のチャネル係数行列を決定する段階であって、該複数の場所にある該アンテナは１又は複数の基地局に動作可能に接続されている、段階、
前記チャネル係数行列に基づきパワー・スケーリング・ベクトルを生成する段階、
前記パワー・スケーリング・ベクトルの少なくとも一部に基づき、１又は複数のプリコーディング行列を選択する段階、
前記選択されたプリコーディング行列及び前記パワー・スケーリング・ベクトルを前記１又は複数の基地局へ送信する段階であって、該１又は複数の基地局に前記選択されたプリコーディング行列及び前記パワー・スケーリング・ベクトルに基づき更なるデータを送信させる、段階、
を有する方法。
（付記２）  前記チャネル係数行列に基づきパワー・スケーリング・ベクトルを生成する段階は、前記パワー・スケーリング・ベクトルを量子化する段階を更に有する、
ことを特徴とする付記１に記載の方法。
（付記３）  前記パワー・スケーリング・ベクトルを生成する段階は、前記チャネル係数行列のそれぞれのＦｒｏｂｅｎｉｕｓノルムの決定に更に基づく、
ことを特徴とする付記１に記載の方法。
（付記４）  前記選択されたプリコーディング行列及び前記パワー・スケーリング・ベクトルを前記１又は複数の基地局へ送信する段階は、
前記選択されたプリコーディング行列及び前記パワー・スケーリング・ベクトルを前記１又は複数の基地局のうちの少なくとも１つへ送信する段階であって、該少なくとも１つの基地局に前記選択されたプリコーディング行列及び前記パワー・スケーリング・ベクトルを前記１又は複数の基地局のうちの残りの基地局へ送信させる、段階、
を有する、
ことを特徴とする付記１に記載の方法。
（付記５）  前記１又は複数の基地局に前記選択されたプリコーディング行列及び前記パワー・スケーリング・ベクトルに基づき更なるデータを送信させることは、
前記１又は複数の基地局に前記更なるデータを前記個々の選択されたプリコーディング行列で送信前に変更させる段階、
前記複数の場所にある前記アンテナに、個々の前記パワー・スケーリング・ベクトルの値に基づき送信パワーを調整させる段階、
を有する、
ことを特徴とする付記１に記載の方法。
（付記６）  ソフトウェアを具現化する１又は複数のコンピュータ可読非一時的記憶媒体であって、該ソフトウェアは、実行されると、
複数の場所のそれぞれにある１又は複数のアンテナから受信された無線伝送について個々のチャネル係数行列を決定し、該複数の場所にある該アンテナは１又は複数の基地局に動作可能に接続されており、
前記チャネル係数行列に基づき、パワー・スケーリング・ベクトルを生成し、
前記パワー・スケーリング・ベクトルの少なくとも一部に基づき、１又は複数のプリコーディング行列を選択し、
前記選択されたプリコーディング行列及び前記パワー・スケーリング・ベクトルを前記１又は複数の基地局へ送信し、該１又は複数の基地局に前記選択されたプリコーディング行列及び前記パワー・スケーリング・ベクトルに基づき更なるデータを送信させる、
ことを特徴とする媒体。
（付記７）  前記チャネル係数行列に基づきパワー・スケーリング・ベクトルを生成するために、前記ソフトウェアは、更に、
前記パワー・スケーリング・ベクトルを量子化する、
ことを特徴とする付記６に記載の媒体。
（付記８）  パワー・スケーリング・ベクトルを生成することは、前記チャネル係数行列のそれぞれのＦｒｏｂｅｎｉｕｓノルムの決定に更に基づく、
ことを特徴とする付記６に記載の媒体。
（付記９）  前記選択されたプリコーディング行列及び前記パワー・スケーリング・ベクトルを前記１又は複数の基地局へ送信するために、前記ソフトウェアは、
前記選択されたプリコーディング行列及び前記パワー・スケーリング・ベクトルを前記１又は複数の基地局のうちの少なくとも１つへ送信し、該少なくとも１つの基地局に前記選択されたプリコーディング行列及び前記パワー・スケーリング・ベクトルを前記１又は複数の基地局のうちの残りの基地局へ送信させる、
ことを特徴とする付記６に記載の媒体。
（付記１０）  前記１又は複数の基地局に前記選択されたプリコーディング行列及び前記パワー・スケーリング・ベクトルに基づき更なるデータを送信させるために、前記ソフトウェアは、
前記１又は複数の基地局に前記更なるデータを前記個々の選択されたプリコーディング行列で送信前に変更させ、
前記複数の場所にある前記アンテナに、個々の前記パワー・スケーリング・ベクトルの値に基づき送信パワーを調整させる、
ことを特徴とする付記６に記載の媒体。
（付記１１）  １又は複数のメイン・プロセッサ、
１又は複数の通信インタフェース、
命令を具現化する１又は複数のコンピュータ可読非一時的記憶媒体、
を有し、
前記命令は、実行されると、１又は複数の前記プロセッサに、
複数の場所のそれぞれにある１又は複数のアンテナから受信された無線伝送について個々のチャネル係数行列を決定し、該複数の場所にある該アンテナは１又は複数の基地局に動作可能に接続されており、
前記チャネル係数行列に基づき、パワー・スケーリング・ベクトルを生成し、
前記パワー・スケーリング・ベクトルの少なくとも一部に基づき、１又は複数のプリコーディング行列を選択し、
前記選択されたプリコーディング行列及び前記パワー・スケーリング・ベクトルを前記１又は複数の基地局へ送信し、該１又は複数の基地局に前記選択されたプリコーディング行列及び前記パワー・スケーリング・ベクトルに基づき更なるデータを送信させる、
ことを特徴とする装置。
（付記１２）  前記チャネル係数行列に基づきパワー・スケーリング・ベクトルを生成するために、前記命令は、更に、実行されると、１又は複数の前記プロセッサに、前記パワー・スケーリング・ベクトルを量子化させる、
ことを特徴とする付記１１に記載の装置。
（付記１３）  パワー・スケーリング・ベクトルを生成することは、前記チャネル係数行列のそれぞれのＦｒｏｂｅｎｉｕｓノルムの決定に更に基づく、
ことを特徴とする付記１１に記載の装置。
（付記１４）  前記選択されたプリコーディング行列及び前記パワー・スケーリング・ベクトルを前記１又は複数の基地局へ送信するために、前記命令は、実行されると、１又は複数の前記プロセッサに、
前記選択されたプリコーディング行列及び前記パワー・スケーリング・ベクトルを前記１又は複数の基地局のうちの少なくとも１つへ送信し、該少なくとも１つの基地局に前記選択されたプリコーディング行列及び前記パワー・スケーリング・ベクトルを前記１又は複数の基地局のうちの残りの基地局へ送信させる、
ことを特徴とする付記１１に記載の装置。
（付記１５）  前記１又は複数の基地局に前記選択されたプリコーディング行列及び前記パワー・スケーリング・ベクトルに基づき更なるデータを送信させるために、前記命令は、実行されると、１又は複数の前記プロセッサに、
前記１又は複数の基地局に前記更なるデータを前記個々の選択されたプリコーディング行列で送信前に変更させ、
前記複数の場所にある前記アンテナに、個々の前記パワー・スケーリング・ベクトルの値に基づき送信パワーを調整させる、
ことを特徴とする付記１１に記載の装置。
（付記１６）  １又は複数の前記通信インタフェースは、ＬＴＥネットワークに接続する、
ことを特徴とする付記１１に記載の装置。
【符号の説明】
【００３６】
１２１  ネットワーク・クラウド
１２２  モバイル装置
１２４、１４０  アンテナ
１３０  基地局
１３２  ＲＲＨ
１６０、１６５  ＵＬ、ＤＬ
８００  コンピュータ・システム
８０２  プロセッサ
８０４  メモリ
８０６  記憶装置
８０８  Ｉ／Ｏインタフェース
８１０  通信インタフェース
【図１】
2012151844.tif 000013
【図２】
2012151844.tif 000014
【図３】
2012151844.tif 000015
【図４】
2012151844.tif 000016
【外国語明細書】
2012151844000001.pdf